(57)【要約】
【課題】強度の高い仕切りを具え、且つ紙材料の無駄を省き、紙材裁断用ダイを必要とせずに製造できる紙製ランチボックスを提供する。
【解決手段】本体を形成する第１板紙と、トレイを形成する第２板紙とによってなり、該第１板紙は第１折り込み部と、第１仕切り部と、２つの第１収納部と、第２折り込み部と、糊代部と、第２仕切り部と、第３折り込み部とを具えてなり、該第２板紙は側壁と、第４折り込み部と、粘着部とを具えてなり、該第１板紙は第１折り込み部と第２折り込み部を折り込み糊代部を貼着して本体を形成すると、第１仕切り部が第１隔壁となり該第１隔壁は本体を２つの第１収納部に分け、側壁が形成され、該第２仕切り部が第２隔壁となり一方の第１収納部を２つの第２収納部と空間部とに分け、トレイは第４折り込み部を折り込みトレイ部を形成して粘着部を空間部、両側の第２隔壁、側壁の内端縁部に貼着し、空間部に設ける。
【選択図】図３
0003100573.tif 000002
【実用新案登録請求の範囲】
【請求項１】
本体を形成する第１板紙と、
トレイを形成する第２板紙とによってなり、
該第１板紙は、４隅に形成された第１折り込み部と、中央の位置に形成された第１仕切り部と、該第１仕切り部により形成された２つの第１収納部と、該第１仕切り部の両端縁部に形成された第２折り込み部及び対向する糊代部と、該第１収納部の第１仕切り部に対して垂直方向に形成された第２仕切り部と、該第２仕切り部の両端縁部には第３折り込み部とを具えてなり、
該第２板紙は、周囲に形成された側壁と、該側壁の４隅に形成された第４析り込み部と、該側壁の端縁部に形成された粘着部とを具えてなり、
該第１板紙は、第１折り込み部と第２折り込み部を折り込み、それぞれの糊代部を貼着して本体を形成すると、第１仕切り部が第１隔壁となり、該第１隔壁によって本体の収納空間が２つの第１収納部に仕切られ、第１収納部の周囲に側壁が形成され、該第２仕切り部が第２隔壁となり、一方の第１収納部は両第２隔壁によって２つの第２収納部と空間部とに分けられ、第２板紙から形成されるトレイは、第４折り込み部を折り込み、トレイ部を形成し、本体の空間部に設けられ、トレイの粘着部が空間部、両側の第２隔壁、第１、第２収納部の周囲に形成された側壁の内端縁部に貼着される構造により形成されることを特徴とする紙製ランチボックス。
【請求項２】
前記本体に形成された一方の第１収納部には第１仕切り部に対して垂直方向に形成された第２仕切り部と、該第２仕切り部の両端縁部に形成された第３折り込み部とを具えてなり、該第３折り込み部を折り込むと、該第２仕切り部が第２隔壁となり、一方の第１収納部が第１収納部と第２収納部に分けられる構造によって形成されることを特徴とする請求項１に記載する紙製ランチボックス。
【請求項３】
前記第１板紙に形成された第１仕切り部と同方向の側壁の端縁部に蓋を一体に形成することを特徴とする請求項１に記載する紙製ランチボックス。
【請求項４】
前記第１板紙に形成された第１仕切り部と垂直方向の側壁の端縁部に蓋を一体に形成することを特徴とする請求項１に記載する紙製ランチボックス。
【考案の詳細な説明】
【技術分野】
【０００１】
この考案は紙製のランチボックスに関し、特に内部にご飯やおかずなどを詰めて外へ持ち出して食べることのできる紙製ランチボックスに関する。
【背景技術】
【０００２】
社会の形態が変化していくとともに、外食人口も増加している。但し、飲食店の衛生状況は、それぞれの店で差が大きい。よって、外食者の衛生上の安全を保つことは無視することのできない重要な問題である。また、人体や環境に有害なポリスチレン製のランチボックスの使用量は常に高い比率を示しており、生活環境に深刻な汚染問題を招いている。そこで、環境衛生や消費者の健康を保護するため、近年来官庁では積極的に環境保護を提唱している。このため、紙製のランチボックスが長年使用されてきたポリスチレンなどのランチボックスに代わって使用されるようになり、ポリスチレンなどを材質とする食器類の使用量が減少している。
【０００３】
従来の紙製のランチボックスの製造方法は多種多様である。そのうち、一体型の紙製ランチボックスの成型方法は大きな紙材を裁断し、所定の外形を形成して機械で紙製のランチボックスにダイ成型する。
【０００４】
しかし、上述の製造方法によるランチボックスは、大きなサイズの紙を必要とするのみならず、予め裁断して多くの部分を切除して初めて所定の外形を形成することができ、さらに機械と金型で外形を形成した紙材を折り曲げてランチボックスを成型するため、紙材の浪費になる。また、ランチボックスは惣菜やご飯を仕切るための多くの仕切りが必要であるが、この製造方法では仕切りを形成することは難しい。しかも、ダイや機械の設計は容易ではなく、成型機械の価格は非常に高い。さらに、成型後のランチボックスは強度が足りないため、ご飯と惣菜が容易に混ざり合う。このため、現在、紙製のランチボックスはかかる製造方法を使用していない。
【０００５】
他の紙製ランチボックスの製造方法を図１５に開示する。図示によれば、ランチボックス(７０)は、相対する２組の側辺を具えた第１収納部(７１)と、該第１収納部(７１)の一側辺に一体に形成された蓋(７２)と、該第１収納部(７１)の他の側辺の端縁部に設けられた粘着部(７３)と、該粘着部(７３)に粘着固定して設けられる第２収納部(７４)とを含んでなり、該第２収納部(７４)は仕切りにより３つの空間部(７５)を具えてなる。このため、使用者はランチボックス(７０)の第１収納部(７１)と第２収納部(７４)の空間部(７５)にご飯、野菜などを盛り付けた弁当を外へ携帯して食べることができる。
【０００６】
上述のランチボックス(７０)は粘着部(７３)に３つの空間部(７５)を具えた第２収納部(７４)を粘着することができるが、第２収納部(７４)と第１収納部(７１)の粘着強度は弱いため、使用者は携帯の際に第２収納部(７４)の底面を手で支えて持ち運ばなければならない。また、第１収納部(７１)の重量が重い場合、第１収納部(７１)が下方に傾斜し、第１収納部(７１)の内部に盛り付けた食べ物が外へ飛び出し、実用的ではなかった。
【０００７】
その他の紙製ランチボックスを図１６に開示する。図示によれば、ランチボックス(８０)は、第１収納部(８２)と、該第１収納部(８２)の一側片に一体に形成された蓋(８１)と、該第１収納部(８２)に隣接して設けられた第２収納部(８３)と、該第１収納部(８２)の内部に出し入れ自在に設けられるトレイ(８４)とを含んでなる。該トレイ(８４)を第１収納部(８２)の中央に設ける場合、第１収納部(８２)は３つの空間が形成される。使用者はランチボックス(８０)の３つの空間に仕切られた第１収納部(８２)にご飯、おかずなどを盛り付けて外へ携帯して食べることができる。
【０００８】
上述のランチボックス(８０)はトレイ(８４)で仕切られた空間に異なる食べ物を盛り付けることができるが、第１収納部(８２)の中央にトレイ(８４)を設けて空間を仕切るため、トレイ(８４)が設けられた部分は板紙が重ねて設けられることになるため、板紙やコストが無駄になる。
【考案の開示】
【考案が解決しようとする課題】
【０００９】
この考案は、強度が高く、ご飯とおかずが混ざらないように仕切りを具えるランチボックスを提供することを課題とする。
【００１０】
この考案は、紙材料の無駄を省き、複雑な紙材を裁断するダイを必要とせずに製造できるランチボックスを提供することを課題とする。
【課題を解決するための手段】
【００１１】
そこで、本考案者は従来の技術に見られる欠点に鑑み鋭意研究を重ねた結果、本体を形成する第１板紙と、トレイを形成する第２板紙とによってなり、該第１板紙は４隅に形成された第１折り込み部と、中央の位置に形成された第１仕切り部と、該第１仕切り部により形成された２つの第１収納部と、該第１仕切り部の両端縁部に形成された第２折り込み部及び対向する糊代部と、該第１収納部の第１仕切り部に対して垂直方向に形成された第２仕切り部と、該第２仕切り部の両端縁部には第３折り込み部とを具えてなり、該第２板紙は、周囲に形成された側壁と、該側壁の４隅に形成された第４折り込み部と、該側壁の端縁部に形成された粘着部とを具えてなり、該第１板紙は、第１折り込み部と第２折り込み部を折り込み、それぞれの糊代部を貼着して本体を形成すると、第１仕切り部が第1隔壁となり、該第１隔壁によって本体の収納空間が２つの第１収納部に仕切られ、第１収納部の周囲に側壁が形成され、該第２仕切り部が第２隔壁となり、一方の第１収納部は両第２隔壁によって２つの第２収納部と空間部とに分けられ、第２板紙から形成されるトレイは第４折り込み部を折り込み、トレイ部を形成して本体の空間部に設け、トレイの粘着部が空間部、両側の第２隔壁、側壁の内端縁部に貼着される構造により形成される紙製ランチボックスの構造によって課題を解決できる点に着眼し、かかる知見に基づいて本考案を完成させた。
【００１２】
以下、この考案について具体的に説明する。
請求項１に記載する紙製ランチボックスは、本体を形成する第１板紙と、トレイを形成する第２板紙とによってなり、該第１板紙は、４隅に形成された第１折り込み部と、中央の位置に形成された第１仕切り部と、該第１仕切り部により形成された２つの第１収納部と、該第１仕切り部の両端縁部に形成された第２折り込み部及び対向する糊代部と、該第１収納部の第１仕切り部に対して垂直方向に形成された第２仕切り部と、該第２仕切り部の両端縁部には第３折り込み部とを具えてなり、該第２板紙は、周囲に形成された側壁と、該側壁の４隅に形成された第４折り込み部と、該側壁の端縁部に形成された粘着部とを具えてなり、該第１板紙は、第１折り込み部と第２折り込み部を折り込み、それぞれの糊代部を貼着して本体を形成すると、第１仕切り部が第１隔壁となり、該第１隔壁によって本体の収納空間が２つの第１収納部に仕切られ、第１収納部の周囲に側壁が形成され、該第２仕切り部が第２隔壁となり、一方の第１収納部は両第２隔壁によって２つの第２収納部と空間部とに分けられ、第２板紙から形成されるトレイは、第４折り込み部を折り込み、トレイ部を形成し、本体の空間部に設けられ、トレイの粘着部が空間部、両側の第２隔壁、第１、第２収納部の周囲に形成された側壁の内端縁部に貼着される。
【００１３】
請求項２に記載する紙製ランチボックスは、請求項１における一方の第１収納部には、第１仕切り部に対して重直方向に形成された第２仕切り部と、該第２仕切り部の両端縁部に形成された第３折り込み部とを具えてなり、該第３折り込み部を折り込むと、該第２仕切り部が第２隔壁となり、一方の第１収納部が第１収納部と第２収納部に分けられる構造によって形成される。
【００１４】
請求項３に記載する紙製ランチボックスは、請求項１おける第１板紙が第１仕切り部と同方向の側壁の端縁部に蓋を一体に形成する。
【００１５】
請求項４に記載する紙製ランチボックスは、請求項１における第１板紙が第１仕切り部と垂直方向の側壁の端縁部に蓋を一体に形成する。
【考案の効果】
【００１６】
この考案による紙製ランチボックスは、板紙と一体に形成された第１隔壁と第２隔壁により、第１収納部と、第２収納部と、空間部に分けられるため、ご飯類やおかず類を別々に盛り付けることができるとともに、１つの第２収納部と空間部にはトレイが設けられ、トレイの粘着部が第２隔壁と側壁に貼着されるため、ランチボックスの強度を高め、第２隔壁がゆがんだり、傾いたり、押しつぶされたりしないため、ご飯類やおかず類を多めに盛り付けてもご飯類やおかず類が混ざり含うことがなく、実用的であるという効果を有する。
【００１７】
また、この考案によるランチボックスは、板紙と第２隔壁(１８)が一体に成型されるため、板紙を何度も裁断する必要がなく、ダイの設計も簡単なため、製造コストを抑える効果を有する。
【考案を実施するための最良の形態】
【００１８】
　以下、本考案を実施するための最良の形態を図面を参照しながら説明する。
【実施例１】
【００１９】
この考案のランチボックスを図１から図４に開示する。ランチボックスは本体(１０)を形成する第１板紙(１１)と、トレイ(２０)を形成する第２板紙(２１)とによってなる。
【００２０】
第１板紙(１１)は、４隅に第１折り込み部(１１０)を形成し、また第１板紙(１１)の中央の位置には第１仕切り部(１２)を形成して２つの第１収納部(１０１)を形成する。該第１仕切り部(１２)の両端縁部には、第２折り込み部(１２０)を形成するとともに、対向する糊代部(１３)を形成する。
【００２１】
また、本体(１０)の一方の第１収納部(１０１)には第１仕切り部(１２)に対して垂直方向に１つの第２仕切り部(１６)が形成され、もう一方の第１収納部(１０１)には２つの第２仕切り部(１６)が平行して形成される。それぞれの第２仕切り部(１６)の両端縁部には第３折り込み部(１６０)が形成される。
【００２２】
よって、図１から図４に開示するように第１折り込み部(１１０)と第２折り込み部(１２０)を折り込み、それぞれの糊代部(１３)を貼着して本体(１０)を形成すると、該第１仕切り部(１２)が第１隔壁(１４)となり、本体(１０)の略中央に位置し、該第１隔壁(１４)によって本体(１０)の収納空間が２つの第１収納部(１０１)に仕切られ、第１収納部(１０１)の周囲に側壁(１５)が形成される。また、該第２仕切り部(１６)が第２隔壁(１８)となり、一方の第１収納部(１０１)は両第２隔壁(１８)によって２つの第２収納部(１０２)と空間部(１７)とに分けられ、もう一方の第１収納部(１０１)は第２隔壁(１８)によって第２収納部(１０２)が形成される。
【００２３】
該トレイ(２０)は第２板紙(２１)から形成される。該第２板紙(２１)は、周囲に形成された側壁(２２)と、該側壁(２２)の端縁部に形成された粘着部(２３)と、第４折り込み部(２２０)とを形成する。
【００２４】
よって、図３に開示するようにトレイ(２０)は第４折り込み部(２２０)を折り込み、トレイ部(２４)を形成する。また、該トレイ(２０)は本体(１０)の空間部(１７)に設けられ、トレイ(２０)の粘着部(２３)が空間部(１７)両側の第２隔壁(１８)及び、第１、第２収納部(１０１)(１０２)の周囲に形成された側壁(１５)の内端縁部に貼着される。
【実施例２】
【００２５】
第２の実施例を図５から図７に開示する。第１板紙(１１)と第２板紙(２１)の構造は第１の実施例と同じであるためここでは詳述しない。図面によれば、該ランチボックスは第１隔壁(１４)と同じ方向に形成された側壁(１５)の端縁部に蓋(３０)を接続して設け、ランチボックスに蓋をすることができる。該蓋(３０)を該ランチボックスに合わせた場合、蓋(３０)は本体(１０)の上端縁部に接するため、内部に盛り付けた食べ物が外圧を受ける。よって、ランチボックスは傾斜しにくくなり、内部の食べ物が隙間からこぼれたりすることがない。
【００２６】
図５から図７に開示するように、該ランチボックスは上述の構成により組み合わせた後、本体(１０)に形成された一方の第１収納部(１０１)は、ご飯類を盛り付ける第１収納部(１０１)と第２収納部(１０２)に分けられ、もう一方の第１収納部(１０１)は、おかず類を盛り付ける２つの第２収納部(１０２)とトレイ部(２４)が形成される。よって、内部に盛り付けた食べ物はそれぞれの収納空間に収められ、汁を含んだおかず、或いは揚げ物などの味付けの異なるおかずが混ざり合って、本来の味に影響を与えることを防ぐ。
【００２７】
該ランチボックスは、第２仕切り部(１６)が第２隔壁(１８)となり、一方の第１収納部(１０１)は２つの第２収納部(１０２)と空間部(１７)に分けられ、該空間部(１７)にはトレイ(２０)が設けられる。よって図５から図７に開示するように、一方の第１収納部(１０１)を複数の第２収納部(１０２)に分けることができる。このため板紙を何度も裁断する必要がなく、ダイの設計も簡単なため、製造コストを抑える効果を有する。
【００２８】
また、この考案のランチボックスのトレイ(２０)は本体(１０)の空間部(１７)に設けられ、且つ図５から図７に開示するようにトレイ(２０)の粘着部(２３)が空間部(１７)両側の第２隔壁(１８)及び第１収納部(１０１)の側壁(１５)の内端縁部に粘着されるため、ランチボックスの構造の強度を高め、使用者がご飯やおかずなどを多めに盛り付けても第２隔壁(１８)がゆがんだり、傾いたり、押しつぶされたりしないためご飯とおかずが混ざり合うことがなく、実用的である。
【実施例３】
【００２９】
この考案の紙製ランチボックスの第３の実施例を図８から図１１に開示する。図面によれば、ランチボックスは本体(４０)を形成する第１板紙(４１)と、トレイ(５０)を形成する第２板紙(５１)とによってなる。
【００３０】
第１板紙(４１)は、４隅に第１折り込み部(４１０)を形成し、また、第１板紙(４１)の中央の位置には第１仕切り部(４２)を形成して２つの第１収納部(４０１)を形成する。該第１仕切り部(４２)の両端縁部には、第２折り込み部(４２０)を形成するとともに、対向する糊代部(４３)を形成する。
【００３１】
また、本体（４０）の一方の第１収納部(４０１)には第１仕切り部(４２)に対して垂直方向に２つの第２仕切り部(４６)を平行して形成する。それぞれの第２仕切り部(４６)の両端縁部には第３折り込み部(４６０)が形成される。もう一方の第１収納部(４０１)には第１仕切り部(４２)に対して垂直方向に１つの第２仕切り部(４６)を形成する。
【００３２】
よって、図８に開示するように第1折り込み部(４１０)と第２折り込み部(４２０)を折り込み、それぞれの糊代部(４３)を貼着して本体(４０)を形成すると、該第１仕切り部(４２)が第１隔壁(４４)となり、本体(４０)の略中央に位置し、図８に開示するように該第１隔壁(４４)によって本体(４０)の収納空間が２つの第１収納部(４０１)に仕切られ、第１収納部(４０１)の周囲に側壁(４５)が形成される。また、該第２仕切り部(４６)が第２隔壁(４８)となり、図１０に開示するように一方の第１収納部(４０１)は両第２隔壁(４８)によって２つの第２収納部(４０２)と空間部(４７)とに分けられる。
【００３３】
該トレイ(５０)は第２板紙(５１)から形成される。該第２板紙(５１)は、周囲に形成された側壁(５２)と、該側壁(５２)の端縁部に形成された粘着部(５３)と、第４折り込み部(５２０)とを形成する。
【００３４】
よって、図８から図１１に開示するように第４折り込み部(５２０)を折り込み、トレイ部(５４)を形成する。また、該トレイ(５０)は本体(４０)の空間部(４７)に設けられ、図１１に開示されるようにトレイ(５０)の粘着部(５３)が空間部(４７)両側の第２隔壁(４８)と、第１収納部(４０１)の周囲に形成された側壁(４５)の内端縁部に貼着される。
【実施例４】
【００３５】
この考案の第４の実施例を図１２から図１４に開示する。第１板紙(４１)と第２板紙(５１)の構造は第３の実施例と同様であるため、ここでは詳述しない。図示によれば、該ランチボックスは第１隔壁(４４)と垂直方向に形成された側壁(４５)の端縁部に蓋(６０)を接続して設け、ランチボックスに蓋をすることができる。該蓋(６０)を該ランチボックスに合わせた場合、蓋(６０)は本体(４０)の上端縁部に接するため、内部に盛り付けた食べ物が外圧を受ける。よって、ランチボックスは傾斜しにくくなり、内部の食べ物が隙間からこぼれたりすることがない。
【００３６】
また、このランチボックスのトレイ（５０）の空間部（４７）の内部に設けられ、且つ図１２から図１４に開示するようにトレイ(５０)の粘着部(５３)が空間部(４７)両側の第２隔壁(４８)及び第１収納部(４０１)の側壁(４５)の内端縁部に粘着されるため、ランチボックスの構造の強度を高め、使用者がご飯やおかずなどを多めに盛り付けても第２隔壁(４８)がゆがんだり、傾いたり、押しつぶされたりしないため、ご飯とおかずが混ざり合うことがなく、実用的である。
【図面の簡単な説明】
【００３７】
【図１】この考案の紙製ランチボックスの第１板紙の平面図である。
【図２】この考案の紙製ランチボックスの第２板紙の平面図である。
【図３】図１と図２の紙製ランチボックスの第１板紙と第２板紙を組み立てて組み合わせる前の斜視図である。
【図４】図３の紙製ランチボックスを組み合わせた後の斜視図である。
【図５】この考案の紙製ランチボックスの他の実施例の第１板紙を表わす平面図である。
【図６】図５の紙製ランチボックスを組み立てて、第１板紙と第２板紙を組み合わせる前の斜視図である。
【図７】図６に開示した紙製ランチボックスを組み合わせた後の斜視図である。
【図８】この考案の紙製ランチボックスの第３の実施例の第１板紙の平面図である。
【図９】この考案の紙製ランチボックスの第３の実施例の第２板紙の平面図である。
【図１０】図８と図９に開示した第１板紙と第２板紙を組み立てて組み合わせる前の斜視図である。
【図１１】図８と図９に開示した第１板紙と第２板紙を組み立てて組み合わせた後の斜視図である。
【図１２】この考案の第４の実施例の第１板紙の平面図である。
【図１３】図１２の第１板紙と、第２板紙を組み立てて、組み合わせる前の斜視図である。
【図１４】図１３の第１板紙と第２板紙を組み合わせた後の斜視図である。
【図１５】従来の紙製ランチボックスの斜視図である。
【図１６】従来の他の紙製ランチボックスの斜視図である。
【符号の説明】
【００３８】
１０　　　本体
１０１　　第１収納部
１０２　　第２収納部
１１　　　第１板紙
１１０　　第１折り込み部
１２　　　第１仕切り部
１２０　　第２折り込み部
１３　　　糊代部
１４　　　第１隔壁
１５　　　側壁
１６　　　第２仕切り都
１６０　　第３折り込み部
１７　　　空間部
１８　　　第２隔壁
２０　　　トレイ
２１　　　第２板紙
２２　　　側壁
２２０　　第４折り込み部
２３　　　粘着部
２４　　　トレイ部
３０　　　蓋
４０　　　本体
４０１　　第１収納部
４０２　　第２収納部
４１　　　第１板紙
４１０　　第１折り込み部
４２　　　第１仕切り部
４２０　　第２折り込み部
４３　　　糊代部
４４　　　第１隔壁
４５　　　側壁
４６　　　第２仕切り部
４６０　　第３折り込み部
４７　　　空間部
４８　　　第２隔壁
５０　　　トレイ
５１　　　第２板紙
５２　　　側壁
５２０　　第４折り込み部
５３　　　粘着部
５４　　　トレイ部
６０　　　蓋
７０　　　ランチボックス
７１　　　第１収納部
７２　　　蓋
７３　　　粘着部
７４　　　第２収納部
７５　　　空間部
８０　　　ランチボックス
８１　　　蓋
８２　　　第１収納部
８３　　　第２収納部
８４　　　トレイ
【図１】
0003100573.tif 000003
【図２】
0003100573.tif 000004
【図３】
0003100573.tif 000005
【図４】
0003100573.tif 000006
【図５】
0003100573.tif 000007
【図６】
0003100573.tif 000008
【図７】
0003100573.tif 000009
【図８】
0003100573.tif 000010
【図９】
0003100573.tif 000011
【図１０】
0003100573.tif 000012
【図１１】
0003100573.tif 000013
【図１２】
0003100573.tif 000014
【図１３】
0003100573.tif 000015
【図１４】
0003100573.tif 000016
【図１５】
0003100573.tif 000017
【図１６】
0003100573.tif 000018